(57)【要約】【課題】複数の硬貨を円滑かつ適切に処理することが可能な硬貨処理装置および硬貨処理システムを提供する。【解決手段】特殊硬貨処理装置７は、所定種類の複数の硬貨を載置するための第１載置領域２１と、所定種類の複数の硬貨を載置するための第２載置領域２２と、第１載置領域２１および第２載置領域２２に載置された硬貨を撮像する撮像部５１と、第１載置領域２１に載置された硬貨を収納する第１収納部３１と、第２載置領域２２に載置された硬貨を収納する第２収納部３２と、第１載置領域２１および第２載置領域２２に載置された硬貨を第１収納部３１および第２収納部３２に導く収納機構と、を備える。【選択図】図２
2020004071.tif 000002
【特許請求の範囲】
【請求項１】
所定種類の複数の硬貨を載置するための第１載置領域と、
所定種類の複数の硬貨を載置するための第２載置領域と、
前記第１載置領域および前記第２載置領域に載置された硬貨を撮像する撮像部と、
前記第１載置領域に載置された硬貨を収納する第１収納部と、
前記第２載置領域に載置された硬貨を収納する第２収納部と、
前記第１載置領域および前記第２載置領域に載置された硬貨を前記第１収納部および前記第２収納部に導く収納機構と、を備える、
ことを特徴とする硬貨処理装置。
【請求項２】
前記第１載置領域と前記第２載置領域は、水平方向に並んで配置され、
前記撮像部は、前記第１載置領域および前記第２載置領域にそれぞれ載置された全ての硬貨を同時に撮像する、請求項１に記載の硬貨処理装置。
【請求項３】
前記第１載置領域と前記第２載置領域とは、装置の外郭を形成する筐体に対し引き出し可能に設けられ、
前記撮像部は、前記第１載置領域と前記第２載置領域とが前記筐体の内部へ引き込まれるに伴い、前記第１載置領域と前記第２載置領域とに載置された硬貨が撮像領域を通過するように配置されている、請求項１に記載の硬貨処理装置。
【請求項４】
前記第１載置領域および第２載置領域に対する硬貨の入出操作を規制するための規制機構を備え、
前記撮像部は、前記規制機構により前記第１載置領域および前記第２載置領域に対する硬貨の入出操作が規制された状態で、前記第１載置領域および前記第２載置領域に載置された硬貨を撮像する、請求項１ないし３の何れか一項に記載の硬貨処理装置。
【請求項５】
複数の硬貨を載置するための載置領域と、
前記載置領域に対する硬貨の入出操作を規制するための規制機構と、
前記載置領域に載置された硬貨を撮像する撮像部と、
前記載置領域に載置された硬貨を収納する収納部と、
前記載置領域に載置された硬貨を前記収納部に導く収納機構と、を備え、
前記撮像部は、前記載置領域に載置された硬貨を前記規制機構により前記載置領域に対する硬貨の入出操作が規制された状態で撮像する、
ことを特徴とする硬貨処理装置。
【請求項６】
前記載置領域は、装置の外郭を形成する筐体に対し引き出し可能に設けられ、
前記撮像部は、前記載置領域が前記筐体の内部へ引き込まれるに伴い、前記載置領域に載置された硬貨が撮像領域を通過するように配置されている、請求項５に記載の硬貨処理装置。
【請求項７】
処理対象の硬貨に対する処理を制御する制御部を備える、請求項１ないし６の何れか一項に記載の硬貨処理装置。
【請求項８】
前記制御部は、設定操作に応じて、処理対象の硬貨の種類を設定する、請求項７に記載の硬貨処理装置。
【請求項９】
前記制御部は、前記撮像部により撮像された処理対象の硬貨の画像に基づいて、各硬貨の種類を判定する、請求項７または８に記載の硬貨処理装置。
【請求項１０】
前記制御部は、前記撮像部により撮像された硬貨の画像に基づいて、処理すべきでない硬貨を検出した場合、検出結果を報知するための処理を行う、請求項７ないし９に記載の硬貨処理装置。
【請求項１１】
前記制御部は、処理対象の硬貨を収納すべきでない硬貨であると判定した場合、操作者により当該硬貨を取り出すための処理を行う、請求項７ないし１０の何れか一項に記載の硬貨処理装置。
【請求項１２】
前記制御部は、前記撮像部により撮像された硬貨の表面の画像を表示させるための処理を行う、請求項７ないし１１の何れか一項に記載の硬貨処理装置。
【請求項１３】
処理対象の硬貨の種類は、損貨および記念貨の少なくとも１つを含む、請求項１ないし１２の何れか一項に記載の硬貨処理装置。
【請求項１４】
請求項１ないし１３の何れか一項に記載の硬貨処理装置と、
前記撮像部により撮像された処理対象の硬貨の画像を表示するための表示装置と、を備える、ことを特徴とする硬貨処理システム。
【請求項１５】
請求項１ないし６の何れか一項に記載の硬貨処理装置と、
処理対象の硬貨に対する処理を制御する制御部と、
前記撮像部により撮像された処理対象の硬貨の画像を表示するための表示装置と、を備える、ことを特徴とする硬貨処理システム。
【発明の詳細な説明】
【技術分野】
【０００１】
本発明は、硬貨を処理する硬貨処理装置および硬貨処理システムに関する。
【背景技術】
【０００２】
従来、損貨（変形硬貨、汚損硬貨）や記念貨、旧貨等の、市場流通に適さない特殊な硬貨を取り扱う硬貨処理装置が知られている。たとえば、このような硬貨処理装置の一例が、特許文献１に開示されている。
【０００３】
特許文献１の硬貨処理装置では、入金口を介して筐体内部にある入金位置に一枚の硬貨が載置される。載置された硬貨は、入金位置においてカメラで撮像される。この画像は、硬貨の種類および金種に関する候補とともに表示部に表示される。操作者は、硬貨の画像を見ながら、その硬貨の種類および金種を複数の候補の中から選択する。硬貨の種類および金種が選択されると、これら情報が画像に紐付けられて記憶部に記憶される。その後、硬貨は、損貨であるか記念貨であるかに応じて、損貨箱または記念貨箱に振り分けて収納される。
【先行技術文献】
【特許文献】
【０００４】
【特許文献１】特開２０１５−０１８３０４号公報
【発明の概要】
【発明が解決しようとする課題】
【０００５】
上記の硬貨処理装置では、入金対象の硬貨が複数枚ある場合に、１枚ずつ上記の操作が繰り返される。このため、ユーザにとって、入金操作が面倒であり、入金時間も長く掛かりやすい。
【０００６】
かかる課題に鑑み、本発明は、複数の硬貨を円滑かつ適切に処理することが可能な硬貨処理装置および硬貨処理システムを提供することを目的とする。
【課題を解決するための手段】
【０００７】
本発明の第１の態様は、硬貨処理装置に関する。この態様に係る硬貨処理装置は、所定種類の複数の硬貨を載置するための第１載置領域と、所定種類の複数の硬貨を載置するための第２載置領域と、前記第１載置領域および前記第２載置領域に載置された硬貨を撮像する撮像部と、前記第１載置領域に載置された硬貨を収納する第１収納部と、前記第２載置領域に載置された硬貨を収納する第２収納部と、前記第１載置領域および前記第２載置領域に載置された硬貨を前記第１収納部および前記第２収納部に導く収納機構と、を備える。
【０００８】
この構成によれば、操作者は、第１載置領域および第２載置領域に、対応する種類の硬貨を纏めて載置することにより、各種類の硬貨を一括して処理できる。よって、第１載置領域および第２載置領域に載置された硬貨を極めて簡便かつ迅速に処理できる。また、第１載置領域および第２載置領域に載置された硬貨は、それぞれ、第１載置領域および第２載置領域に対応付けられた第１収納部および第２収納部に収納される。よって、各種類の硬貨を、種類ごとに第１収納部および第２収納部に分別して収納でき、硬貨に対するその後の処理を円滑に進めることができる。
【０００９】
本態様に係る硬貨処理装置において、前記第１載置領域と前記第２載置領域は、水平方向に並んで配置され、前記撮像部は、前記第１載置領域および前記第２載置領域にそれぞれ載置された全ての硬貨を同時に撮像するよう構成され得る。
【００１０】
この構成によれば、第１載置領域および第２載置領域に対して１つの撮像部が割り当てられるため、構成の簡素化を図ることができる。
【００１１】
本態様に係る硬貨処理装置において、前記第１載置領域と前記第２載置領域とは、装置の外郭を形成する筐体に対し引き出し可能に設けられ、前記撮像部は、前記第１載置領域と前記第２載置領域とが前記筐体の内部へ引き込まれるに伴い、前記第１載置領域と前記第２載置領域とに載置された硬貨が撮像領域を通過するように配置されるよう構成され得る。
【００１２】
上記の構成によれば、第１載置領域と第２載置領域とが筐体内部に引き込まれる間に、同時に、硬貨の撮像を行い得るため、入金処理を円滑且つ迅速に進めることができる。
【００１３】
本態様に係る硬貨処理装置において、前記第１載置領域および第２載置領域に対する硬貨の入出操作を規制するための規制機構を備え、前記撮像部は、前記規制機構により前記第１載置領域および前記第２載置領域に対する硬貨の入出操作が規制された状態で、前記第１載置領域および前記第２載置領域に載置された硬貨を撮像するよう構成され得る。
【００１４】
上記の構成によれば、硬貨の入出を行い得ない状態で撮像が行われるため、撮像後の硬貨の取り出しや、撮像後の硬貨の載置によって違算が生じることを抑制できる。
【００１５】
本発明の第２の態様は、硬貨処理装置に関する。この態様に係る硬貨処理装置は、複数の硬貨を載置するための載置領域と、前記載置領域に対する硬貨の入出操作を規制するための規制機構と、前記載置領域に載置された硬貨を撮像する撮像部と、前記載置領域に載置された硬貨を収納する収納部と、前記載置領域に載置された硬貨を前記収納部に導く収納機構と、を備え、前記撮像部は、前記載置領域に載置された硬貨を前記規制機構により前記載置領域に対する硬貨の入出操作が規制された状態で撮像する。
【００１６】
この構成によれば、載置領域に載置された硬貨は、規制機構により、硬貨の入出を行い得ない状態で撮像される。よって、撮像後の硬貨の取り出しや、撮像後の硬貨の載置によって違算が生じることを抑制できる。
【００１７】
本態様に係る硬貨処理装置において、前記載置領域は、装置の外郭を形成する筐体に対し引き出し可能に設けられ、前記撮像部は、前記載置領域が前記筐体の内部へ引き込まれるに伴い、前記載置領域に載置された硬貨が撮像領域を通過するように配置されるよう構成され得る。
【００１８】
上記の構成によれば、載置領域が筐体内部に引き込まれる間に、同時に、硬貨の撮像を行い得るため、入金処理を円滑且つ迅速に進めることができる。
【００１９】
本態様に係る硬貨処理装置は、処理対象の硬貨に対する処理を制御する制御部を備えるよう構成され得る。
【００２０】
この場合、前記制御部は、たとえば、設定操作に応じて、処理対象の硬貨の種類を設定するよう構成され得る。
【００２１】
上記の構成によれば、載置領域に載置される硬貨の種類を適宜設定することができる。よって、ユーザの利便性を高めることができる。
【００２２】
また、前記制御部は、前記撮像部により撮像された処理対象の硬貨の画像に基づいて、各硬貨の種類を判定するよう構成され得る。
【００２３】
この構成によれば、硬貨の種類の判定結果に基づいて、制御部により、所定の制御を行うことができる。
【００２４】
この場合、前記制御部は、前記撮像部により撮像された硬貨の画像に基づいて、処理すべきでない硬貨を検出した場合、検出結果を報知するための処理を行うよう構成され得る。
【００２５】
この構成によれば、操作者は、誤った種類の硬貨が載置領域に載置されたことを知ることができる。これにより、操作者は、誤った種類の硬貨を正しい硬貨に置き直す等の操作を行い得る。よって、硬貨を正確に入金し、処理することができる。
【００２６】
上記構成において、前記制御部は、処理対象の硬貨を収納すべきでない硬貨であると判定した場合、操作者により当該硬貨を取り出すための処理を行うよう構成され得る。
【００２７】
この構成によれば、操作者は、たとえば、ケース入りの硬貨等、収納部に収納せずに個別に保管すべき硬貨について、画像の撮像後に、円滑に、装置から取り出して保管することができる。
【００２８】
本態様に係る硬貨処理装置において、前記制御部は、前記撮像部により撮像された硬貨の表面の画像を表示させるための処理を行うよう構成され得る。
【００２９】
この構成によれば、操作者は、表示された硬貨の表面画像を直接目視で確認して、載置領域に載置された各硬貨の種類を確認できる。よって、硬貨を正確に入金し、処理することができる。
【００３０】
本態様に係る硬貨処理装置において、処理対象の硬貨の種類は、損貨および記念貨の少なくとも１つを含むよう構成され得る。
【００３１】
この構成によれば、ユーザは、複数の損貨または記念貨を一括して処理できる。よって、損貨または記念貨を迅速かつ円滑に処理できる。
【００３２】
本発明の第３の態様は、硬貨処理システムに関する。この態様に係る硬貨処理システムは、第１または第２の態様に係る硬貨処理装置と、前記撮像部により撮像された処理対象の硬貨の画像を表示するための表示装置と、を備える。
【００３３】
この構成によれば、第１の態様あるいは第２の態様と同様の効果が奏され得る。
【００３４】
本発明の第４の態様は、硬貨処理システムに関する。この態様に係る硬貨処理システムは、第１または第２の態様に係る硬貨処理装置と、処理対象の硬貨に対する処理を制御する制御部と、前記撮像部により撮像された処理対象の硬貨の画像を表示するための表示装置と、を備える。
【００３５】
この構成によれば、第１あるいは第２の態様と同様の効果が奏され得る。
【００３６】
なお、第１および第２の態様に係る硬貨処理装置が表示部を備える構成であってもよい。この場合、硬貨処理装置は、撮像部により撮像された硬貨の画像等を表示部に表示させるよう構成され得る。
【００３７】
また、第１および第２の態様に係る硬貨処理装置の制御部の処理が、第３および第４の態様に係る硬貨処理システムを構成する他の制御部によって行われてもよい。
【発明の効果】
【００３８】
上記のように、本発明によれば、複数の硬貨を円滑かつ適切に処理することが可能な硬貨処理装置および硬貨処理システムを提供することができる。
【００３９】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００４０】
【図１】図１は、実施形態に係る貨幣処理システムの外観を示す正面図である。
【図２】図２（ａ）、（ｂ）は、実施形態に係る特殊硬貨処理装置の構成を示す斜視図である。
【図３】図３（ａ）〜（ｄ）は、実施形態に係る特殊硬貨処理装置の第１載置領域および第２載置領域に対する硬貨の種類の設定方法と、各設定方法において第１載置領域および第２載置領域により処理可能な硬貨の枚数を示す図である。
【図４】図４（ａ）、（ｂ）は、実施形態に係る特殊硬貨処理装置の構成および動作を模式的に示す断面図である。
【図５】図５は、実施形態に係る特殊硬貨処理装置および操作端末の構成を示すブロック図である。
【図６】図６は、実施形態に係る特殊硬貨の入金処理を示すフローチャートである。
【図７】図７（ａ）〜（ｄ）は、それぞれ、実施形態に係る、特殊硬貨の入金処理の際に操作端末において表示される画面を示す図である。
【図８】図８（ａ）、（ｂ）は、実施形態に係る、硬貨の画像に対して金種を設定するための操作を模式的に示す図である。
【図９】図９は、実施形態に係る、詳細画面を示す図である。
【図１０】図１０は、変更例１に係る特殊硬貨の入金処理を示すフローチャートである。
【図１１】図１１（ａ）〜（ｄ）は、それぞれ、変更例１に係る、特殊硬貨の入金処理の際に操作端末において表示される画面を示す図である。
【図１２】図１２は、変更例２に係る特殊硬貨の入金処理を示すフローチャートである。
【図１３】図１３（ａ）、（ｂ）は、変更例２に係る、特殊硬貨の入金処理の際に操作端末において表示される画面を示す図である。
【図１４】図１４（ａ）、（ｂ）は、変更例３に係る特殊硬貨処理装置の構成を模式的に示す断面図である。
【図１５】図１５（ａ）、（ｂ）は、変更例４に係る特殊硬貨処理装置の構成を模式的に示す断面図である。
【図１６】図１６（ａ）〜（ｃ）は、変更例４に係る特殊硬貨処理装置の構成を模式的に示す平面図である。
【図１７】図１７（ａ）、（ｂ）は、変更例５に係る特殊硬貨処理装置の構成を模式的に示す断面図および平面図である。
【図１８】図１８は、他の変更例に係る特殊硬貨処理装置の構成を示すブロック図である。
【発明を実施するための形態】
【００４１】
以下、本発明の実施形態について、図面を参照して説明する。
【００４２】
本実施形態において、特殊硬貨処理装置７が、特許請求の範囲に記載の「硬貨処理装置」に対応し、特殊硬貨処理装置７と操作端末８（操作表示部３０１）との組み合わせが、特許請求の範囲に記載の「硬貨処理システム」に対応する。操作端末８（操作表示部３０１）は、特許請求の範囲に記載の「表示装置」に対応する。また、カメラ５１が、特許請求の範囲に記載の「撮像部」に対応する。枠部材２４と載置部材２５とが、特許請求の範囲に記載の「収納機構」に対応する。
【００４３】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００４４】
図１は、本実施形態に係る、貨幣処理システム１の外観を示す正面図である。
【００４５】
貨幣処理システム１は、バラ紙幣処理装置２と、束紙幣処理装置３と、バラ硬貨処理装置４と、包装硬貨処理装置５と、有価媒体処理装置６と、特殊硬貨処理装置７と、操作端末８と、貨幣保管装置９と、を備える。
【００４６】
バラ紙幣処理装置２は、バラ紙幣を金種別に収納できる紙幣収納部を有し、バラ紙幣を紙幣収納部へ入金する入金処理や紙幣収納部からバラ紙幣を出金する出金処理を行う。束紙幣処理装置３は、所定枚数（たとえば、１００枚）のバラ紙幣を結束して束紙幣（帯封紙幣）を形成する束紙幣形成部と、束紙幣を収納する束紙幣収納部とを有する。束紙幣処理装置３は、バラ紙幣処理装置２と接続されており、バラ紙幣処理装置２から送られてきたバラ紙幣をもとに束紙幣形成部で束紙幣を生成して外部に投出し、あるいは、生成した束紙幣を束紙幣収納部に収納する。
【００４７】
バラ硬貨処理装置４は、バラ硬貨を金種別に収納できる硬貨収納部を有し、バラ硬貨を硬貨収納部へ入金する入金処理や硬貨収納部からバラ硬貨を出金する出金処理を行う。包装硬貨処理装置５は、所定枚数（たとえば、５０枚）のバラ硬貨を包装して包装硬貨を形成する包装硬貨形成部と、包装硬貨を収納する包装硬貨収納部とを有する。包装硬貨処理装置５は、バラ硬貨処理装置４と接続されており、バラ硬貨処理装置４から送られてきたバラ硬貨をもとに包装硬貨形成部で包装硬貨に生成して外部に投出し、あるいは、生成した包装硬貨を包装硬貨収納部に収納する。
【００４８】
有価媒体処理装置６は、バラ紙幣処理装置２および束紙幣処理装置３で取り扱われない有価媒体の処理を行う。具体的には、有価媒体処理装置６は、損券収納部、有価証券収納部を有し、現在発行されていない紙幣である旧券、市場流通に適さない損券および汚れや破れによってバラ紙幣処理装置２で処理できない損傷券を損券収納部に対して入出金する処理、および、小切手や手形などの特定の有価証券を有価証券収納部に対して入出金する処理を行う。また、有価媒体処理装置６は、新券収納部を有し、未使用の紙幣である新券を新券収納部から出金する処理を行う。
【００４９】
特殊硬貨処理装置７は、損貨（変形貨幣、汚損貨幣）、記念貨、旧貨等の市場流通に適さない特殊な硬貨を取り扱う。これら特殊な硬貨は、バラ硬貨処理装置４では、取り扱うことができない。
【００５０】
操作端末８は、操作表示部３０１と、プリンタ３０２とを備える。ユーザは、操作端末８を用いて、バラ紙幣処理装置２、束紙幣処理装置３、バラ硬貨処理装置４、包装硬貨処理装置５、有価媒体処理装置６、特殊硬貨処理装置７および貨幣保管装置９に対する入金処理のための操作や出金処理のための操作を行う。
【００５１】
貨幣保管装置９は、損貨（変形貨幣、汚損貨幣）、記念貨、旧貨等の市場の流通に適さない特殊な硬貨等の保管に用いられる。
【００５２】
図２（ａ）（ｂ）は、特殊硬貨処理装置７の構成を示す斜視図である。
【００５３】
特殊硬貨処理装置７は、直方体形状の筐体１０により、外郭が形成される。筐体１０の上部前側に開口１１が形成されている。この開口１１が、シャッター１２により開閉される。図２（ａ）には、開口１１がシャッター１２により閉じられた状態が示され、図２（ｂ）には、開口１１が開放された状態が示されている。シャッター１２は、筐体１０の左右の内側面に形成されたガイド溝１３に沿って、前後方向に移動可能に筐体１０に支持されている。
【００５４】
シャッター１２が開放されると、左右に並ぶ第１載置領域２１と第２載置領域２２とが、外部に露出する。第１載置領域２１と第２載置領域２２とは、仕切り２３によって仕切られている。第１載置領域２１の直下に、第１載置領域２１に載置された硬貨を収納するための第１収納部３１が前方に引き出し可能に設置されている。また、第２載置領域２２の直下に、第２載置領域２２に載置された硬貨を収納するための第２収納部３２が前方に引き出し可能に設置されている。すなわち、第１載置領域２１と第２載置領域２２とにそれぞれ対応付けられて、第１収納部３１と第２収納部３２とが設けられている。
【００５５】
第１載置領域２１および第２載置領域２２に載置されるべき硬貨の種類は、任意に設定可能である。各載置領域に載置されるべき硬貨の種類は、たとえば、所定の設定画面を用いて設定される。設定された各載置領域の硬貨の種類は、操作端末８内の記憶部に記憶される。ラベル３３、３４は設定に応じて付設される。
【００５６】
第１載置領域２１および第２載置領域２２に載置されるべき硬貨の種類の設定に関して、図３（ａ）〜（ｄ）を参照して説明する。
【００５７】
図３（ａ）〜（ｄ）は、それぞれ、第１載置領域２１および第２載置領域２２に対する硬貨の種類の設定方法と、各設定方法において、第１載置領域２１および第２載置領域２２により処理可能な硬貨の枚数を示す図である。図３（ａ）〜（ｄ）において、左側には、第１載置領域２１および第２載置領域２２に硬貨が載置された状態が示され、右側には、第１載置領域２１および第２載置領域２２に載置可能な硬貨の最大数と第１収納部３１および第２収納部３２に収納可能な硬貨の最大数が示されている。なお、右側の表に示された枚数は一例であり、特殊硬貨処理装置７のサイズ、硬貨の種類等で適切に設定される。
【００５８】
図３（ａ）には、標準的な硬貨の種類の設定パターン（標準パターン）が示されている。この設定パターンは、たとえば、操作端末８にデフォルトで設定される。標準パターンでは、第１載置領域２１が損貨の載置領域に設定され、第２載置領域２２が記念貨の載置領域に設定される。したがって、第１収納部３１には損貨が収納され、第２収納部３２には記念貨が収納される。第１収納部３１と第２収納部３２の真上の位置に、それぞれ、第１載置領域２１と第２載置領域２２に載置されるべき硬貨の種類を示すラベル３３、３４が付設される。操作者は、これらのラベル３３、３４を参照することにより、第１載置領域２１と第２載置領域２２に載置されるべき硬貨の種類を把握できる。
【００５９】
図３（ａ）の表に示すように、標準パターンでは、たとえば、第１載置領域２１に最大１２枚の損貨が載置可能であり、第２載置領域２２には最大４枚の記念貨が載置可能である。また、標準パターンでは、第１収納部３１に、１２０枚まで損貨が収納可能である。一方、第２収納部３２には、４０枚まで記念貨が収納可能である。
【００６０】
図３（ｂ）には、第１載置領域２１に載置される硬貨の種類と第２載置領域２２に載置される硬貨の種類とが、標準パターンに対して入れ替えられた設定パターン（入替パターン）が示されている。入替パターンでは、第１載置領域２１が記念貨の載置領域に設定され、第２載置領域２２が損貨の載置領域に設定される。したがって、第１収納部３１には記念貨が収納され、第２収納部３２には損貨が収納される。硬貨の種類の入替に応じて、ラベル３３、３４の表記が変更される。
【００６１】
図３（ｂ）の表に示すように、入替パターンでは、第１載置領域２１に最大４枚の記念貨が載置可能であり、第２載置領域２２には最大１２枚の損貨が載置可能である。また、第１収納部３１に、４０枚まで記念貨が収納可能である。一方、第２収納部３２に、１２０枚まで損貨が収納可能である。
【００６２】
図３（ｃ）には、第１載置領域２１と第２載置領域２２との何れにも、損貨が載置される領域に設定された設定パターン（損貨パターン）が示されている。また、図３（ｄ）には、第１載置領域２１と第２載置領域２２との何れにも、記念貨が載置される領域に設定された設定パターン（損貨パターン）が示されている。
【００６３】
図３（ｃ）の損貨パターンでは、第１載置領域２１および第２載置領域２２に、それぞれ、１２枚ずつ損貨が載置可能である。したがって、損貨パターンでは、合計２４枚の損貨を一度に第１載置領域２１および第２載置領域２２に載置して処理できる。この場合、第１収納部３１および第２収納部３２に合計２４０枚の損貨を収納可能である。
【００６４】
図３（ｄ）の記念貨パターンでは、第１載置領域２１および第２載置領域２２に、それぞれ、４枚ずつ記念貨が載置可能である。したがって、記念貨パターンでは、合計８枚の記念貨を一度に第１載置領域２１および第２載置領域２２に載置して処理できる。この場合、第１収納部３１および第２収納部３２に合わせて８０枚の記念貨を収納可能である。
【００６５】
このように、本実施形態では、第１載置領域２１と第２載置領域２２とに載置されるべき硬貨の種類および枚数を、適宜、設定可能である。各設定パターンは、所定の設定画面を介して、操作端末８の制御部３０５（図５参照）により受け付けられ、操作端末８の記憶部（図５参照）に記憶される。
【００６６】
図４（ａ）、（ｂ）は、特殊硬貨処理装置７の構成および動作を模式的に示す断面図である。図４（ａ）、（ｂ）には、それぞれ、図２（ａ）のＡ−Ａ’断面図が示されている。図４（ａ）は、第１載置領域２１と第２載置領域２２に対象の硬貨が載置された後、シャッター１２が閉じられた直後の状態が示され、図４（ｂ）には、その後、収納動作が開始された状態が示されている。
【００６７】
図４（ａ）、（ｂ）に示すように、第１載置領域２１は、枠部材２４と載置部材２５とで構成されている。枠部材２４の内側面は、仕切り２３の側面とともに、第１載置領域２１の内側面を構成し、載置部材２５の上面は、第１載置領域２１の底面、すなわち、第１載置領域２１における硬貨の載置面を構成する。枠部材２４は、筐体１０内部に固定され、載置部材２５は、前後に移動可能に、支持フレーム４１に支持されている。支持フレーム４１には、枠部材２４の内側面と第１収納部３１とを連通させる開口４１ａが設けられている。第２載置領域２２も、図４（ａ）、（ｂ）と同様の構成である。
【００６８】
なお、枠部材２４は、第１載置領域２１および第２載置領域２２の両方に共通な１つの部材であってもよく、第１載置領域２１および第２載置領域２２ごとに個別に設けられてもよい。また、載置部材２５は、第１載置領域２１および第２載置領域２２の両方に共通な１つの部材であってもよく、第１載置領域２１および第２載置領域２２ごとに個別に設けられてもよい。
【００６９】
シャッター１２の上部内側面には、第１載置領域２１および第２載置領域２２の両方を画角に含むカメラ５１が設置されている。すなわち、第１載置領域２１および第２載置領域２２に載置された硬貨は、全て、１つのカメラ５１で同時に撮像される。この他、筐体１０の内部には、第１載置領域２１および第２載置領域２２を照明するための発光ユニット（図示せず）が設置されている。
【００７０】
図４（ａ）の状態から、載置部材２５が図示しない駆動機構により後方に移動されると、第１載置領域２１の底面が徐々に開放される。これにより、図４（ｂ）に示すように、硬貨Ｃ１が、開放された底面から開口４１ａを介して第１収納部３１の内部に落下する。載置部材２５は、前端が枠部材２４の後端側の内側面の位置まで移動する。これにより、第１載置領域２１に載置された全ての硬貨Ｃ１が、第１収納部３１の内部に落下して、第１収納部３１に収納される。第２載置領域２２に載置された硬貨も、同様の動作により、第２収納部３２に収納される。
【００７１】
載置部材２５の駆動機構は、モータとギアにより構成される。たとえば、載置部材２５に前後に延びるラックギアが設けられ、このラックギアに、モータにより駆動されるギアが噛み合わされる。モータが駆動されると、ギアとラックギアを介してモータの駆動力が載置部材２５に付与される。これにより、載置部材２５が前後に移送される。
【００７２】
図４（ｂ）に示した硬貨の収納動作は、図４（ａ）の状態において、カメラ５１で撮像された各硬貨の撮像画像に対し、操作者が、所定の金種を割り当てた後、確定操作を行うことにより実行される。ここで、各硬貨の撮像画像は、硬貨ごとに切出されて、操作端末８に表示される。操作者は、操作端末８に表示された各硬貨の撮像画像を目視で確認しつつ、各撮像画像に当該硬貨の金種を設定する。その後、操作者が、操作端末８に対して確定操作を入力することにより、各撮像画像に金種が紐づけられて、操作端末８の記憶部に記憶される。こうして、各硬貨が管理される。
【００７３】
図５は、特殊硬貨処理装置７および操作端末８の構成を示すブロック図である。
【００７４】
特殊硬貨処理装置７は、撮像処理部２０１と、シャッター駆動部２０２と、ユニット駆動部２０３と、通信部２０４と、制御部２０５と、記憶部２０６と、を備える。
【００７５】
撮像処理部２０１は、制御部２０５からの制御によりカメラ５１を駆動するとともに、カメラ５１からの画像データを処理して制御部２０５に送信する。シャッター駆動部２０２は、シャッター１２を駆動するためのモータおよび駆動回路を備え、制御部２０５からの制御により、シャッター１２を開閉する。ユニット駆動部２０３は、図４（ａ）、（ｂ）に示した載置部材２５を駆動するモータとその駆動回路を備え、制御部２０５からの制御により、載置部材２５を駆動する。通信部２０４は、制御部２０５からの制御により、操作端末８の通信部３０４との間で無線方式あるいは有線方式による通信を行う。
【００７６】
制御部２０５は、ＣＰＵ（Central Processing Unit）等の演算回路を備え、記憶部２０６に記憶されたプログラムに従って、撮像処理部２０１、シャッター駆動部２０２、ユニット駆動部２０３および通信部２０４を制御する。記憶部２０６は、ＲＯＭ（Read Only Memory）、ＲＡＭ（Random Access Memory）やハードディスク等の記憶媒体を備え、制御部２０５の制御プログラムを記憶し、また、制御部２０５の制御処理の際にワーク領域として利用される。
【００７７】
操作端末８は、上述した操作表示部３０１およびプリンタ３０２の他、カードリーダ３０３、通信部３０４、制御部３０５および記憶部３０６を備える。
【００７８】
操作表示部３０１は、ディスプレイ３０１ａとタッチセンサ３０１ｂとを備えたタッチパネルで構成される。ディスプレイ３０１ａは、各種情報を表示する。タッチセンサ３０１ｂは、ディスプレイ３０１ａに対するユーザのタッチ操作を検出する。プリンタ３０２は、バラ紙幣処理装置２、束紙幣処理装置３、バラ硬貨処理装置４、包装硬貨処理装置５、有価媒体処理装置６、特殊硬貨処理装置７および貨幣保管装置９に対する入金処理、出金処理等の各種処理の結果を、ジャーナルとして用紙に印字し出力する。
【００７９】
カードリーダ３０３は、ＩＤカードを読み取り、読み取ったデータを制御部３０５に出力する。通信部３０４は、特殊硬貨処理装置７の通信部２０４との間で無線方式あるいは有線方式による通信を行う。この他、通信部３０４は、バラ紙幣処理装置２、束紙幣処理装置３、バラ硬貨処理装置４、包装硬貨処理装置５、有価媒体処理装置６および貨幣保管装置９の各通信部との間で無線方式あるいは有線方式による通信を行う。
【００８０】
制御部３０５は、ＣＰＵ等の演算回路を備え、記憶部３０６に記憶されたプログラムに従って、操作表示部３０１、プリンタ３０２、カードリーダ３０３、通信部３０４を制御する。さらに、制御部３０５は、通信部３０４を介して、バラ紙幣処理装置２、束紙幣処理装置３、バラ硬貨処理装置４、包装硬貨処理装置５、有価媒体処理装置６、特殊硬貨処理装置７および貨幣保管装置９との間で各種の指令や情報のやり取りを行うことにより、これら装置の動作を制御する。
【００８１】
記憶部３０６は、ＲＯＭ、ＲＡＭやハードディスク等の記憶媒体を備え、制御部３０５の制御プログラムを記憶し、また、制御部３０５の制御処理の際にワーク領域として利用される。さらに、記憶部３０６は、損貨および記念貨の参照画像と金種とを対応付けた硬貨画像データベース３０６ａを保持している。硬貨画像データベース３０６ａは、硬貨の種類（損貨／記念貨）ごとに準備されている。硬貨画像データベース３０６ａは、カメラ５１により撮像された硬貨の画像の金種を判定する際に、制御部３０５により参照される。
【００８２】
次に、特殊硬貨処理装置７へ特殊な硬貨である損貨および記念貨を入金するための処理について説明する。なお、ここでは、第１載置領域２１および第２載置領域２２に載置される硬貨の種類の設定パターンとして、図３（ａ）に示した標準パターンが設定されている。
【００８３】
図６は、損貨等の特殊硬貨の入金処理を示すフローチャートである。図７（ａ）〜（ｄ）は、それぞれ、実施形態に係る、特殊硬貨の入金処理の際に操作端末８の操作表示部３０１において表示される画面を示す図である。図６のフローチャートは、操作端末８の制御部３０５において実行される。
【００８４】
特殊硬貨の入金処理において、操作者は、まず、図７（ａ）に示すメニュー画面４１０を操作する。メニュー画面４１０には、処理項目の選択候補を表示する領域４１１が含まれている。操作者は、領域４１１中の“特殊硬貨”の処理項目を選択する。これにより、領域４１２に含まれた貨幣の種類のうち、処理対象とされる損貨／旧貨および記念貨の項目がハイライト表示される。さらに、領域４１３に、当該硬貨の入金を行うための特殊硬貨処理装置７の画像４１３ａが表示される。操作者は、画像４１３ａを参照することにより、どの装置に対して入金を行えばよいかを円滑に把握できる。その後、操作者は、ボタン４１４を操作する。これにより、図６に示す処理が開始される。
【００８５】
制御部３０５は、特殊硬貨処理装置７の制御部２０５に対して、シャッター１２を開放させる指示を送信する（Ｓ１０１）。これにより、特殊硬貨処理装置７のシャッター１２が開放される。また、制御部３０５は、操作表示部３０１にセット要求画面４２０を表示させる。これにより、操作表示部３０１の画面が、図７（ａ）のメニュー画面４１０から図７（ｂ）のセット要求画面４２０に切り替わる。
【００８６】
図７（ｂ）を参照して、領域４２１には、図７（ａ）の領域４１１と同様の画像が含まれる。領域４２２には、特殊硬貨処理装置７の硬貨載置領域における硬貨の種類の割り当て形態を示す画像４２２ａが表示される。ここでは、上記のように、標準パターンが設定されているため、左側の硬貨載置領域（第１載置領域２１）が損貨を載置するための領域に割り当てられ、右側の硬貨載置領域（第２載置領域２２）が記念貨を載置するための領域に割り当てられている。操作者は、画像４２２ａを参照することにより、各載置領域に載置すべき硬貨の種類を的確に把握できる。
【００８７】
領域４２３には、特殊硬貨処理装置７に処理対象の硬貨をセットすること、および、セット完了後にボタン４２４を操作することを促すメッセージ４２３ａが含まれる。操作者は、メッセージ４２３ａを参照して、特殊硬貨処理装置７の第１載置領域２１および第２載置領域２２に、それぞれ、処理対象の損貨および記念貨を載置する。処理対象の全ての損貨および記念貨をセットすると、操作者は、ボタン４２４を操作する。これにより、図６のステップＳ１０３の判定がＹＥＳとなる。
【００８８】
こうして、ステップＳ１０３の判定がＹＥＳとなると、制御部３０５は、特殊硬貨処理装置７の制御部２０５に対して、シャッター１２を閉塞させる指示を送信する（Ｓ１０４）。これにより、特殊硬貨処理装置７のシャッター１２が閉塞される。さらに、制御部３０５は、特殊硬貨処理装置７の制御部２０５に対して、硬貨を撮像させる指示を送信する（Ｓ１０５）。これにより、特殊硬貨処理装置７において、第１載置領域２１および第２載置領域２２に載置された硬貨が、カメラ５１により撮像される。こうして撮像された画像のデータが、通信部２０４、３０４を介して、特殊硬貨処理装置７から操作端末８に送信される。制御部３０５は、受信したデータを、記憶部３０６に記憶させる。
【００８９】
次に、制御部３０５は、受信した画像のデータを処理して、当該画像に含まれる各硬貨の画像を切り出す（Ｓ１０６）。このとき、制御部３０５は、切り出した各硬貨の画像に対して歪み補正を行い、真円に近い各硬貨の画像を取得する。そして、制御部３０５は、歪み補正後の各硬貨の画像と、硬貨画像データベース３０６ａに保持された基準画像とを照合して、各硬貨の画像の金種を識別する（Ｓ１０７）。
【００９０】
具体的には、制御部３０５は、各硬貨の画像について、マッチング度合いが所定の閾値以上で且つ最高の基準画像を硬貨画像データベース３０６ａから抽出し、この基準画像に対応付けられた金種を、当該硬貨の画像に割り当てる。このとき、制御部３０５は、各硬貨の画像に割り当てられた基準画像が、損貨と記念貨の何れの種類に属するかを示す区分を、各硬貨の画像にさらに割り当てる。また、マッチング度合いが閾値以上の基準画像がない硬貨の画像については、金種が不明との識別結果が割り当てられる。
【００９１】
こうして各硬貨の画像について金種を識別した後、制御部３０５は、第１載置領域２１および第２載置領域２２に対して、対応する種類（損貨／記念貨）の硬貨が適正にセットされたか否かを判定する（Ｓ１０８）。すなわち、制御部３０５は、各硬貨の画像に割り当てられた硬貨の種類の区分を参照し、損貨が載置されるべき第１載置領域２１から取得された各硬貨の画像の何れかに記念貨の区分が割り当てられた場合、および、記念貨が載置されるべき第２載置領域２２から取得された各硬貨の画像の何れかに損貨の区分が割り当てられた場合に、第１載置領域２１および第２載置領域２２に対して硬貨の置き間違いが生じたと判定する。
【００９２】
硬貨の置き間違いが生じた場合（Ｓ１０８：ＹＥＳ）、制御部３０５は、図７（ｃ）に示す確認要求画面４３０を操作表示部３０１に表示させる（Ｓ１０９）。確認要求画面４３０では、図７（ｂ）に示したセット要求画面４２０に領域４３１の画像が重ねて表示される。領域４３１には、硬貨の置き間違いがあること、および、硬貨の再セットを行うことを促すメッセージ４３１ａと、ボタン４３２が含まれる。操作者は、メッセージ４３１ａを参照して、硬貨の置き間違いを把握した後、ボタン４３２を操作する。これにより、図６のステップＳ１１０の判定がＹＥＳとなる。
【００９３】
これに応じて、制御部３０５は、処理をステップＳ１０１に戻して、ステップＳ１０１以降の処理を再度実行する。これにより、特殊硬貨処理装置７のシャッター１２が開放されて、硬貨の置き直しが可能となる。操作者は、ステップＳ１０２で表示されるセット要求画面４２０等を参照しながら、適正な載置領域に硬貨を置き直す。その後、操作者は、上記と同様の操作を行う。
【００９４】
硬貨の置き間違いがない場合（Ｓ１０８：ＮＯ）、制御部３０５は、図７（ｄ）に示す入金処理画面４４０を、操作表示部３０１に表示させる（Ｓ１１１）。
【００９５】
図７（ｄ）を参照して、入金処理画面４４０は、領域４４１、４４２と、ボタン４４３〜４４５とを含んでいる。領域４４１には、硬貨の入金結果４４１ａ、４４１ｂが金種ごとに表示される。領域４４２には、撮像画像から切り出された各硬貨の画像４４２ｃが表示される。表示される各硬貨の画像４４２ｃは、上述の歪み補正後の画像である。領域４４２は、損貨の画像を表示させるためのタブ４４２ａと、記念貨の画像を表示させるためのタブ４４２ｂとを備えている。すなわち、第１載置領域２１および第２載置領域２２に対して、それぞれ、タブ４４２ａおよびタブ４４２ｂが割り当てられている。タブ４４２ａが選択されると、第１載置領域２１にセットされた損貨の各画像が表示され、タブ４４２ｂが選択されると、第２載置領域２２にセットされた記念貨の各画像が表示される。
【００９６】
硬貨の各画像４４２ｃの直下の位置に、各画像の金種を示す項目４４２ｄが表示される。入金処理画面４４０の表示開始時には、図６のステップＳ１０７で識別された各硬貨の画像４４２ｃの金種が項目４４２ｄに表示される。ステップＳ１０７で金種が不明と判定された硬貨の画像４４２ｃには、“？”の記号が項目４４２ｄに表示される。“？”の記号が付された画像４４２ｃ以外の画像４４２ｃについて、金種ごとに枚数が計数され、計数結果が、入金結果４４１ａ、４４１ｂとして、領域４４１に表示される。領域４４２には、画像４４２ｃをスクロールさせるためのスクロールバー４４２ｅが設けられている。
【００９７】
なお、金種を示す項目４４２ｄは、必ずしも、各画像４４２ｃの直下に配置されなくてもよく、画像４４２ｃに対応付けられた形態であれば、他の位置に配置されてもよい。たとえば、画像４４２ｃの一部に重なるように項目４４２ｄが配置されてもよい。
【００９８】
操作者は、項目４４２ｄに対する操作により、各硬貨の画像４４２ｃの金種を設定できる。
【００９９】
図８（ａ）、（ｂ）は、硬貨の画像４４２ｃに対して金種を設定するための操作を模式的に示す図である。
【０１００】
たとえば、金種が不明と識別された画像４４２ｃに対して金種を設定する場合、操作者は、まず、当該画像４４２ｃを参照して、当該画像４４２ｃの硬貨の金種を目視により確認する。次に、操作者は、図８（ａ）に示すように、当該画像４４２ｃに対応付けられた項目４４２ｄに指でタッチし、そのまま指を下方にドラッグさせる。これにより、ドラッグの距離に応じて項目４４２ｄに表示される金種が変化する。
【０１０１】
たとえば、指を所定距離だけドラッグさせると、項目４４２ｄの金種が１円となり、さらに指を所定距離だけドラッグさせると、項目４４２ｄの金種が５円となる。その後、同様に、指を所定距離だけドラッグさせるごとに、項目４４２ｄの金種が、１０円、５０円、…と変化する。指を逆方向（上方）にドラッグさせると、金種の変化が反転する。
【０１０２】
こうして、操作者は、画像４４２ｃに対応する金種が項目４４２ｄに表示されるまで、指をドラッグさせる。そして、画像４４２ｃに対応する金種が項目４４２ｄに表示されると、操作者は、指を画面から離す。これにより、図８（ｂ）のように、項目４４２ｄに金種が設定される。このとき、操作者により金種が設定された項目４４２ｄは、図６のステップＳ１０７で金種が識別された項目４４２ｄと区別可能な形態で表示される。たとえば、操作者により金種が設定された項目４４２ｄは、他の項目４４２ｄとは異なる色が付されて表示される。
【０１０３】
操作者は、金種が不明と識別された他の画像４４２ｃについても、同様の操作により金種を設定する。また、操作者は、図６のステップＳ１０７で金種が識別された項目４４２ｄについても、適宜、上記と同様の操作により、金種を修正する。こうして、各画像４４２ｃの金種が操作者により設定されると、これに応じて、領域４４１に表示される各金種の入金結果４４１ａ、４４１ｂが更新される。
【０１０４】
なお、図８（ａ）、（ｂ）に示した例では、指をドラッグさせることにより金種の候補が変更されたが、金種の候補を変化させる方法は、これに限られるものではない。たとえば、項目４４２ｄをタップするごとに金種の候補が変化する構成であってもよい。
【０１０５】
図７（ｄ）に戻り、ボタン４４３は、カメラ５１により撮像された画像を表示させるためのボタンである。ボタン４４３が操作されると、操作表示部３０１のディスプレイ３０１ａ全体に、図９に示す詳細画面４５０が表示される。
【０１０６】
詳細画面４５０には、カメラ５１の撮像画像の全体が表示される。領域４５１ａ、４５１ｂには、それぞれ、第１載置領域２１および第２載置領域２２を上方から撮像した画像が表示される。領域４５１ｃに撮像された画像は、第１載置領域２１と第２載置領域２２との間を仕切る仕切り２３である。
【０１０７】
領域４５１ａ、４５１ｂに表示される画像は、ディスプレイ３０１ａの表示領域の略全体に表示されるため、各硬貨の表面画像が大きく表示される。操作者は、領域４４２に対する金種の設定操作の際に、適宜、ボタン４４３を操作して、詳細画面４５０を表示させる。これにより、操作者は、各画像の金種をより円滑に目視により確認することができる。確認の後、操作者は、ボタン４５２を操作する。これにより、画面が、図７（ｄ）の入金処理画面４４０に戻る。
【０１０８】
図６に戻り、制御部３０５は、入金処理画面４４０を表示させた後（Ｓ１１１）、金種受付処理（Ｓ１１２）および詳細確認受付処理（Ｓ１１３）を実行する。金種受付処理（Ｓ１１２）において、制御部３０５は、図８（ａ）、（ｂ）に示した操作を受け付け、操作者により当該操作がなされた場合に、上記のように、項目４４２ｄの金種を変更する。また、詳細確認受付処理（Ｓ１１３）において、制御部３０５は、図７（ｄ）のボタン４４３に対する操作を受け付け、ボタン４４３に対する操作がなされた場合に、図９に示した詳細画面４５０を表示させる。
【０１０９】
ステップＳ１１２、Ｓ１１３の処理とともに、制御部３０５は、入金処理画面４４０に対して、操作者により、やりなおし操作がなされたか否かを判定する（Ｓ１１４）。具体的には、制御部３０５は、入金処理画面４４０中のボタン４４４が操作者により操作されたか否かを判定する。
【０１１０】
操作者は、処理対象の硬貨の一部を第１載置領域２１または第２載置領域２２にセットし忘れた場合等、入金処理をやり直す必要性を確認した場合、ボタン４４５を操作する。これにより、制御部３０５は、ステップＳ１１４の判定をＹＥＳとして、処理をステップＳ１０１に戻す。これに応じて、特殊硬貨処理装置７のシャッター１２が開放される。これにより、操作者は、第１載置領域２１または第２載置領域２２にアクセスして、硬貨入金のための操作をやり直す。
【０１１１】
やりなおし操作および重なり確認操作の何れも行われることなく（Ｓ１１４：ＮＯ）、図７（ｄ）の入金処理画面４４０において、操作者により、全ての硬貨の画像４４２ｃに対して金種が設定され、その後、処理を確定させるボタン４４５が操作されると（Ｓ１１５：ＹＥＳ）、制御部３０５は、入金確定処理を実行する（Ｓ１１６）。入金確定処理において、制御部３０５は、各硬貨の画像４４２ｃと項目４４２ｄに設定された金種とを対応付けて、記憶部３０６に記憶させる。このとき同時に、制御部３０５は、領域４４１に示された入金結果４４１ａ、４４１ｂを記憶部３０６に記憶させる。
【０１１２】
こうして、入金確定処理を完了すると、制御部３０５は、通信部３０４を介して、処理の完了を示す通知を特殊硬貨処理装置７に送信する。これに応じて、特殊硬貨処理装置７の制御部２０５は、ユニット駆動部２０３を制御して、載置部材２５を最後方位置へと移送させる。これにより、第１載置領域２１および第２載置領域２２に載置された硬貨が、それぞれ、第１収納部３１および第２収納部３２に落下して収納される。その後、制御部２０５は、載置部材２５を最前方位置（初期位置）へと移送させる。これにより、硬貨の入金処理が終了する。
【０１１３】
＜実施形態の効果＞
本実施形態によれば、以下の効果が奏され得る。
【０１１４】
操作者は、第１載置領域２１および第２載置領域２２に、それぞれ、対応する種類の硬貨（損貨、記念貨）を纏めて載置することにより、各種類の硬貨を一括して処理できる。よって、対象硬貨を極めて簡便かつ迅速に処理できる。また、第１載置領域２１および第２載置領域２２に載置された硬貨は、それぞれ、第１載置領域２１および第２載置領域２２に対応付けられた第１収納部３１および第２収納部３２に収納される。よって、各種類の硬貨を、種類ごとに第１収納部３１および第２収納部３２に分別して収納できる。これにより、操作者は、各種類の硬貨に対するその後の処理を円滑に進めることができる。
【０１１５】
図２（ｂ）に示したように、第１載置領域２１と第２載置領域２２は、水平方向に並んで配置され、カメラ５１（撮像部）は、第１載置領域２１および第２載置領域２２にそれぞれ載置された全ての硬貨を同時に撮像するよう画角が設定されている。これにより、第１載置領域２１および第２載置領域２２に対して１つのカメラ（撮像部）が割り当てられるため、構成の簡素化を図ることができる。
【０１１６】
図４（ａ）に示したように、カメラ５１（撮像部）は、シャッター１２（規制機構）により第１載置領域２１および第２載置領域２２に対する硬貨の入出操作が規制された状態で、第１載置領域２１および第２載置領域２２に載置された硬貨を撮像する。このように、硬貨の入出を行い得ない状態で撮像が行われるため、撮像後の硬貨の取り出しや、撮像後の硬貨の載置によって違算が生じることを抑制できる。
【０１１７】
図４（ａ）に示したように、第１収納部３１および第２収納部３２は、それぞれ、上面が開放されるとともに、第１載置領域２１とおよび第２載置領域２２の下方に配置され、枠部材２４および載置部材２５（収納機構）は、第１載置領域２１および第２載置領域２２に載置された硬貨を、それぞれ、第１収納部３１および第２収納部３２に落下させるよう構成されている。より詳細には、枠部材２４と載置部材２５とが水平方向に相対的に移動することにより、第１載置領域２１および第２載置領域２２に載置された硬貨が、それぞれ、第１収納部３１および第２収納部３２に落下する。これにより、枠部材２４と載置部材２５とを水平方向に相対移動させるだけで、第１載置領域２１および第２載置領域２２に載置された硬貨を、それぞれ、第１収納部３１および第２収納部３２に収納させることができる。よって、収納機構の構成を簡素にでき、硬貨収納のための制御を簡易に行い得る。
【０１１８】
図３（ａ）〜（ｄ）を参照して説明したとおり、制御部３０５は、設定操作に応じて、第１載置領域２１および第２載置領域２２のそれぞれに載置される硬貨の種類を設定する。これにより、ユーザの利便性を高めることができる。たとえば、記念貨の入金が多くなることが見込まれる場合、記念貨を載置する領域を、第１載置領域２１および第２載置領域２２のうち操作者にとって便利な領域に設定することができ、あるいは、第１載置領域２１および第２載置領域２２の両方を記念貨を載置する領域に設定することもできる。これにより、操作者の利便性を高めることができる。
【０１１９】
図６のステップＳ１０７において、制御部３０５は、カメラ５１（撮像部）により撮像された硬貨の画像に基づいて、第１載置領域２１および第２載置領域２２に載置された各硬貨の種類を判定する。これにより、制御部３０５は、硬貨の種類の判定結果に基づいて、所定の制御を行うことができる。
【０１２０】
たとえば、制御部３０５は、第１載置領域２１および第２載置領域２２の硬貨の種類に対応しない硬貨が第１載置領域２１および第２載置領域２２の少なくとも一方に載置されたこと（置き間違い）を検出した場合、検出結果を報知するための処理、すなわち、図７（ｃ）に示した確認要求画面４３０の表示を行う。これにより、操作者は、第１載置領域２１または第２載置領域２２に対する硬貨の置き間違いを把握でき、硬貨を置き直す等の操作を行い得る。その結果、操作者は、正確な入金処理を実行することができる。
【０１２１】
図９に示したように、制御部３０５は、カメラ５１（撮像部）により撮像された硬貨の表面の画像を表示させるための処理を行う。これにより、操作者は、表示された硬貨の表面画像を直接目視で確認して、第１載置領域２１および第２載置領域２２に載置された各硬貨の種類を確認できる。よって、硬貨を正確に入金し、処理することができる。
【０１２２】
以上、本発明の実施形態について説明したが、本発明は、上記実施形態によって何ら制限されるものではなく、また、本発明の実施形態も、上記以外に種々の変更が可能である。
【０１２３】
＜変更例１＞
変更例１では、制御部３０５が、第１載置領域２１および第２載置領域２２の少なくとも一方に、第１収納部３１および第２収納部３２に収納すべきでない硬貨が載置されたと判定した場合に、当該硬貨を取り出すための処理が行われる。具体的には、制御部３０５は、化粧箱等のケースに収納されていた記念貨がケースから取り出されて第１載置領域２１または第２載置領域２２に載置された場合に、この記念貨をカメラ５１で撮像した後、この記念貨を第１収納部３１または第２収納部３２に収納させずに、シャッター１２を開放して、この記念貨を取り出し可能な状態に設定する。
【０１２４】
なお、変更例１では、図７（ａ）に示したメニュー画面４１０が、図１１（ａ）のように変更される。すなわち、領域４１１において、操作者が“特殊硬貨”の処理項目を選択すると、領域４１２に、処理対象とされる損貨／旧貨および記念貨の項目がハイライト表示されるとともに、その項目の下に、“＊ケース入り”の選択項目４１２ａが表示される。操作者は、処理対象の硬貨がケース入りの記念貨である場合に、選択項目４１２ａを選択する。これに応じて、制御部３０５は、処理対象の硬貨がケース入りの記念貨であることを示すフラグを設定する。
【０１２５】
また、変更例１では、操作者により選択項目４１２ａが選択された場合は、ケース入りの記念貨のみを対象とした入金処理が実行される。すなわち、制御部３０５は、第１載置領域２１および第２載置領域２２のうち記念貨を載置すべき載置領域のみを有効な載置領域として設定する。この載置領域以外に硬貨が載置された場合、制御部３０５は、図６のステップＳ１０８における判定をＹＥＳとする。
【０１２６】
化粧箱等のケースに収納されている記念貨を処理する場合、操作者は、図１１（ａ）のメニュー画面４１０において、領域４１１中の“特殊硬貨”の処理項目を選択し、さらに、領域４１２に表示される選択項目４１２ａを選択して、ボタン４１４を操作する。これにより、図６に示す処理が開始される。
【０１２７】
この場合、図６のステップＳ１０２において、図７（ｂ）に代えて、図１１（ｂ）のセット要求画面４２０が表示される。ここでは、領域４２３に、特殊硬貨処理装置７に処理対象の記念硬貨をケースから取り出してセットすること、および、セット完了後にボタン４２４を操作することを促すメッセージ４２３ｂが含まれる。また、上記のとおり、制御部３０５は、記念貨を載置すべき載置領域のみを有効な載置領域として設定する。このため、図１１（ｂ）に示すように、領域４２２に、特殊硬貨処理装置７の硬貨載置領域のうち、右側の硬貨載置領域（第２載置領域２２）に記念貨が割り当てられた画像４２２ｂが表示される。
【０１２８】
操作者は、メッセージ４２３ｂを参照して、ケースから記念貨を取りだし、取り出した記念貨を、記念貨用の第２載置領域２２に載置する。処理対象の記念貨をセットすると、操作者は、ボタン４２４を操作する。これにより、図６のステップＳ１０３の判定がＹＥＳとなって、ステップＳ１０４以降の処理が行われる。第２載置領域２２には、ケース入りの記念貨を複数載置可能である。
【０１２９】
なお、図６のステップＳ１０８においては、第２載置領域２２に記念貨以外の硬貨が載置された場合の他、有効な載置領域ではない第１載置領域２１に何らかの硬貨が載置された場合も、判定がＹＥＳとされる。上記実施形態と同様、操作者は、ステップＳ１１１において表示される入金処理画面４４０（図７（ｄ）参照）を操作して、処理対象の記念貨の各画像に対して金種を設定する。操作者により、全ての記念貨の画像４４２ｃに対して金種が設定され、その後、処理を確定させるボタン４４５が操作されると（Ｓ１１５：ＹＥＳ）、制御部３０５は、入金確定処理を実行する（Ｓ１１６）。
【０１３０】
ここで、上記実施形態では、入金確定処理（Ｓ１１６）において、領域４４１に示された入金結果４４１ａ、４４１ｂが記憶部３０６に記憶された後、損貨および記念貨がそれぞれ第１収納部３１および第２収納部３２に収納された。これに対し、変更例１では、処理対象の硬貨がケース入りの記念貨である場合に、入金確定処理（Ｓ１１６）において、図１０に示す処理が実行される。
【０１３１】
すなわち、図１０のステップＳ１２１において、制御部３０５は、各記念貨の画像４４２ｃと項目４４２ｄに設定された金種とを対応付けて、記憶部３０６に記憶させる。このとき同時に、制御部３０５は、領域４４１に示された入金結果４４１ｂを記憶部３０６に記憶させる。
【０１３２】
次に、制御部３０５は、特殊硬貨処理装置７の制御部２０５に対して、シャッター１２を開放させる指示を送信する（Ｓ１２２）。これにより、特殊硬貨処理装置７のシャッター１２が開放される。そして、制御部３０５は、操作表示部３０１の画面を、図１１（ｃ）に示す取出要求画面４６０に切り替える（Ｓ１２３）。
【０１３３】
取出要求画面４６０の領域４６１には、第２載置領域２２から記念貨を全て取り出すこと、および、取り出した記念貨をケースに戻すことを促すメッセージ４６１ａが表示される。操作者は、メッセージ４６１ａを参照して、特殊硬貨処理装置７の第２載置領域２２から記念貨を取り出して、ボタン４６２を操作する。これにより、図１０のステップＳ１２４の判定がＹＥＳとなる。なお、ボタン４６２が操作された後、制御部３０５は、カメラ５１により第２載置領域２２の画像を取得して、第２載置領域２２に記念貨が残っていないかを確認してもよい。この場合、制御部３０５は、第２載置領域２２に記念貨が残っていないことを確認したことにより、ステップＳ１２４の判定をＹＥＳとする。
【０１３４】
こうして、ステップＳ１２４の判定がＹＥＳとなると、制御部３０５は、特殊硬貨処理装置７の制御部２０５に対して、シャッター１２を閉塞させる指示を送信する（Ｓ１２５）。これにより、特殊硬貨処理装置７のシャッター１２が閉塞される。シャッター１２が閉塞されると、制御部３０５は、図１１（ｄ）に示す画面４７０を操作表示部３０１に表示させる。画面４７０の領域４７１には、特殊硬貨処理装置７からケースに収納した記念貨を貨幣保管装置９に保管することを促す画像４７１ａが表示され、さらに、領域４７２に、記念貨を貨幣保管装置９に保管するよう促すメッセージ４７２ａが表示される。
【０１３５】
操作者は、画像４７１ａおよびメッセージ４７２ａを参照して、ケースに収納された記念貨をケースごと貨幣保管装置９に保管し、ボタン４７３を操作する。これにより、図１０のステップＳ１２６の判定がＹＥＳとなる。これにより、ケース入り記念貨の入金処理が終了する。
【０１３６】
このように、変更例１の構成によれば、ケース入りの記念貨は、第２収納部３２には収納されずに、第２載置領域２２から取り出し可能な状態に設定される。これにより、操作者は、第２収納部３２に収納せずに個別に保管すべきケース入りの硬貨を、画像の撮像後に、円滑に、特殊硬貨処理装置７から取り出して保管することができる。
【０１３７】
なお、ここでは、第２載置領域２２が記念貨の載置領域に設定されている場合（標準パターン）を例に挙げたが、第１載置領域２１が記念貨の載置領域に設定されている場合（入替パターン）や、第１載置領域２１と第２載置領域２２の両方が記念貨の載置領域に設定されている場合（記念貨パターン）も、同様の制御が行われる。
【０１３８】
また、ケース入りの硬貨が処理されるか否かが、選択項目４１２ａの選択の有無によって識別されたが、識別の方法は、これに限られるものではなく、たとえば、撮像画像に基づいて、ケース入りの硬貨が処理されるか否かが識別されてもよい。なお、ケースが透明な場合は、ケースごとに記念貨が対応する載置領域に載置されてもよい。
【０１３９】
また、変更例１では、ケース入りの記念貨が処理される場合は、当該記念貨のみが処理対象とされたが、記念貨とともに損貨の処理が並行して行われてもよい。この場合、第１載置領域２１は、上記実施形態と同様、損貨の載置領域に設定され、損貨に対しては、上記実施形態と同様の処理が実行される。
【０１４０】
さらに、第１収納部３１および第２収納部３２に収納すべきでない硬貨として、ケースに収納された記念貨が例示されたが、第１収納部３１および第２収納部３２に収納すべきでない硬貨はこれに限られるものではない。
【０１４１】
＜変更例２＞
上記実施形態では、入金処理において、硬貨の一方の表面画像のみが取得されたが、変更例２では、硬貨の両方の表面画像が取得される。変更例２では、取得された両方の表面画像と金種とが紐付けられて、記憶部３０６に記憶される。
【０１４２】
図１２は、変更例２に係る損貨等の特殊硬貨の入金処理を示すフローチャートである。便宜上、図１２では、図６のステップＳ１０１〜Ｓ１１５が省略されている。変更例２においても、図６のステップＳ１０１〜Ｓ１１５が同様に実行される。図１３（ａ）、（ｂ）は、それぞれ、変更例２に係る、特殊硬貨の入金処理の際に操作端末８の操作表示部３０１において表示される画面を示す図である。
【０１４３】
図６のステップＳ１１５の判定がＹＥＳの場合、制御部３０５は、各硬貨の表面の画像４４２ｃと項目４４２ｄに設定された金種とを対応付けて、記憶部３０６に一時記憶させる（Ｓ１３１）。このとき同時に、制御部３０５は、各硬貨が第１載置領域２１または第２載置領域２２に載置されている位置と金種との組み合わせも記憶部３０６に記憶させる。また、制御部３０５は、領域４４１に示された入金結果４４１ａ、４４１ｂを記憶部３０６に記憶させる。
【０１４４】
次に、制御部３０５は、特殊硬貨処理装置７の制御部２０５に対して、シャッター１２を開放させる指示を送信する（Ｓ１３２）。これにより、特殊硬貨処理装置７のシャッター１２が開放される。そして、制御部３０５は、操作表示部３０１に、図１３（ａ）に示す反転要求画面４８０を表示させる（Ｓ１３３）。反転要求画面４８０の領域４８１には、各硬貨が載置されていた場所から各硬貨を動かさないように全て裏返すこと、および、裏返した後にボタン４８２を操作することを促すメッセージ４８１ａが表示される。操作者は、メッセージ４８１ａを参照して、特殊硬貨処理装置７の第１載置領域２１および第２載置領域２２に載置されていた各硬貨を裏返して、ボタン４８２を操作する。これにより、図１２のステップＳ１３４の判定がＹＥＳとなる。
【０１４５】
こうして、ステップＳ１３４の判定がＹＥＳとなると、制御部３０５は、特殊硬貨処理装置７の制御部２０５に対して、シャッター１２を閉塞させる指示を送信する（Ｓ１３５）。これにより、特殊硬貨処理装置７のシャッター１２が閉塞される。シャッター１２が閉塞されると、ステップＳ１３６〜Ｓ１３８の処理が行われる。ステップＳ１３６〜Ｓ１３８の処理は、上記実施形態の図６におけるステップＳ１０５〜Ｓ１０７の処理と同様である。ただし、ステップＳ１３８において、制御部３０５は、各硬貨が第１載置領域２１または第２載置領域２２に載置されている位置と金種との組み合わせも記憶部３０６に記憶させる。
【０１４６】
こうして各硬貨の裏面の画像について金種を識別した後、制御部３０５は、紐付処理を行う（Ｓ１３９）。紐付処理において、制御部３０５は、ステップＳ１３１において記憶部３０６に記憶させた各硬貨の位置と金種との組み合わせと、ステップＳ１３８において記憶部３０６に記憶させた各硬貨の位置と金種との組み合わせを抽出する。そして、位置が同じか、極めて近い位置に位置付けられ、且つ、金種が一致している硬貨どうしを紐付ける。そして、制御部３０５は、紐付けた硬貨の表面の画像および裏面の画像を紐付処理画面４９０に表示させる。
【０１４７】
具体的には、図１３（ｂ）に示すように、紐付処理画面４９０の領域４９１には、損貨の画像を表示させるためのタブ４９１ａと、記念貨の画像を表示させるためのタブ４９１ｂとを備えている。タブ４９１ａが選択されると、第１載置領域２１にセットされた損貨の各画像が表示され、タブ４９１ｂが選択されると、第２載置領域２２にセットされた記念貨の各画像が表示される。これらの各画像は、紐付に成功した硬貨の画像４９１ｃと紐付に失敗した硬貨の画像４９１ｄが含まれる。また、領域４９１には、画像４９１ｃおよび画像４９１ｄをスクロールさせるためのスクロールバー４９２ｅが設けられている。なお、領域４９１において、上段は各硬貨の表面の画像であり、下段は各硬貨の裏面の画像である。ここで、「紐付に成功した」とは、制御部３０５により硬貨の表面と裏面との位置が同じか極めて近いと判断され、両者の金種が一致したと判断された場合である。「紐付に失敗した」とは、制御部３０５により硬貨の表面と裏面との位置が異なると判断された場合、および、硬貨の表面と裏面との位置が同じか極めて近いと判断されたが、両者の金種が一致しないと判断された場合、または裏返し忘れたために同じ画像が取得された場合である。
【０１４８】
紐付に成功した硬貨の画像４９１ｃは、図１３（ｂ）に示すように、実線で結ばれるように表示される。また、実線の横には、金種が表示される。
【０１４９】
ステップＳ１３９の処理において、制御部３０５は、操作者による紐付け操作を受け付ける。具体的には、制御部３０５は、操作者が、上段の硬貨の画像（表面画像）と下段の硬貨の画像（裏面画像）が操作者により連続的にタップされた場合に、これら２つの画像を同一の硬貨の画像として紐付ける。操作者は、実線で結ばれていない上段と下段の画像を目視により確認し、同じ硬貨の画像と判断される２つの画像を紐付けのために連続してタップする。この場合、操作者は、適宜、ボタン４９２をタッチして、第１載置領域２１と第２載置領域２２の画像の全体を、表面画像の撮像時と裏面画像の撮像時とで並べて表示させる。なお、これらの全体画像により、操作者による紐付け操作を行ってもよい。操作者は、適宜、紐付けに成功した硬貨の画像も、紐付け操作の対象に含めて、紐付け操作を行う。
【０１５０】
こうして、紐付け操作を行った後、操作者は、処理を確定させるボタン４９３を操作する。これにより、制御部３０５は、処理が確定したとして（Ｓ１４０：ＹＥＳ）、入金確定処理を実行する（Ｓ１１６）。入金確定処理において、制御部３０５は、紐付けされた各硬貨の表裏両面の画像と、ステップＳ１３１で一時記憶した各表面画像の金種とを紐づけて記憶部３０６に記憶させる。このとき、同時に、ステップＳ１３１で記憶させていた入金結果を記憶部３０６に記憶させる。
【０１５１】
こうして、入金確定処理を完了すると、制御部３０５は、通信部３０４を介して、処理の完了を示す通知を特殊硬貨処理装置７に送信する。これに応じて、特殊硬貨処理装置７の制御部２０５は、ユニット駆動部２０３を制御して、載置部材２５を最後方位置へと移送させる。これにより、第１載置領域２１および第２載置領域２２に載置された硬貨が、それぞれ、第１収納部３１および第２収納部３２に落下して収納される。その後、制御部２０５は、載置部材２５を最前方位置（初期位置）へと移送させる。これにより、硬貨の入金処理が終了する。
【０１５２】
このように、変更例２では、各硬貨の表面と裏面の画像が金種と紐付けて管理される。これにより、各硬貨の画像をより正確に管理することができる。
【０１５３】
＜変更例３＞
図１４（ａ）、（ｂ）は、変更例３に係る特殊硬貨処理装置７の構成を模式的に示す断面図である。
【０１５４】
上記実施形態では、図４（ａ）、（ｂ）を参照して説明したように、載置部材２５を後方に移動させることにより、載置部材２５に載置された硬貨が第１収納部３１に収納された。これに対し、変更例３では、図１４（ａ）、（ｂ）に示すように、枠部材２４を後方に移動させることにより、載置部材２５に載置された硬貨が第１収納部３１に収納される。すなわち、変更例３では、載置部材２５が固定され、枠部材２４が前後に移動可能に配置されている。また、第１収納部３１の開口が後方に広げられている。
【０１５５】
図１４（ａ）の状態から、枠部材２４が後方に移送されると、枠部材２４の開口が、後ろ側から徐々に載置部材２５から外れていく。これにより、第１載置領域２１において、後ろ側から無底の範囲が広がっていく。この無底の範囲により、第１載置領域２１に載置された硬貨が落下し、第１収納部３１に収納される。こうして、枠部材２４が後端位置まで移動すると、第１載置領域２１に載置された全ての硬貨が第１収納部３１に落下して収納される。第２載置領域２２にも同様の構成が適用される。
【０１５６】
変更例３の構成によっても、上記実施形態と同様、第１載置領域２１および第２載置領域２２に載置された硬貨を、円滑に、第１収納部３１および第２収納部３２に収納させることができる。ただし、変更例３の構成では、上記実施形態に比べて、第１収納部３１および第２収納部３２の形状が前後方向に長くする必要がある。
【０１５７】
＜変更例４＞
図１５（ａ）、（ｂ）は、変更例４に係る特殊硬貨処理装置７の構成を模式的に示す断面図である。図１６（ａ）〜（ｃ）は、変更例４に係る特殊硬貨処理装置７の構成を模式的に示す平面図である。図１５（ａ）、（ｂ）には、トレイ６１およびその駆動機構が平面図により示され、さらに、トレイ６１付近の筐体１０の部分が示されている。便宜上、図１６（ａ）、（ｂ）では、筐体１０の部分にハッチングが付されている。また、トレイ６１が特許請求の範囲に記載の「規制機構」に対応する。
【０１５８】
変更例４では、上記実施形態１に比べて、シャッター１２が省略され、トレイ６１により、第１載置領域２１および第２載置領域２２が、筐体１０の外部に突出した位置と筐体１０の内部に収容される位置との間で移送される。トレイ６１は、支持ローラ６２によって、前後方向に移動可能に支持されている。トレイ６１の右側面には、ギア６１ｃが設けられ、このギア６１ｃにギア６３が噛み合っている。ギア６３は、図示しないモータによって駆動される。ギア６３が駆動されることにより、トレイ６１が、筐体１０の開口１４を介して、前後に移送される。トレイ６１が最後方位置に位置付けられると、トレイ６１前端の蓋部６１ｂによって、開口１４が閉塞される。
【０１５９】
トレイ６１は、上面および後面が開放された箱形の形状である。トレイ６１の底面には、前側の領域に開口６１ａが形成されている。トレイ６１に枠部材２４が固定されている。トレイ６１に支持板２７が前後に移動可能に嵌め込まれ、この支持板２７の上面前部に載置部材２５、２６が設置されている。支持板２７は、ガイドによって前後に移動可能に支持されてもよい。載置部材２５、２６の上面には、上記実施形態と同様、所定の段差で複数の載置面が形成されている。
【０１６０】
支持板２７の後部には、前後に延びるようにラックギア２８が設置されている。支持板２７には開口２７ａが形成され、この開口２７ａを介してトレイ６１にモータ７１が設置されている。モータ７１の駆動軸に設置されたギア７２が、ラックギア２８に噛み合っている。モータ７１を駆動することにより、ラックギア２８が前後に送られる。これにより、支持板２７がトレイ６１に対して前後方向に相対的に移動する。
【０１６１】
変更例４では、図５のブロック図中のシャッター駆動部２０２が、トレイ６１を駆動するためのトレイ駆動部に変更される。また、ユニット駆動部２０３は、ギア６３を駆動するためのモータを駆動して、支持板２７とともに載置部材２５、２６を移送する。また、変更例４では、図６のフローチャートにおいて、シャッター１２の開閉に代えて、トレイ６１の突出および引込みが行われる。
【０１６２】
特殊硬貨の入金処理時において、制御部２０５は、操作端末８からの指示に応じて、図１５（ａ）および図１６（ａ）に示すように、トレイ６１を筐体１０の外部に突出する位置に移送する。この状態において、操作者は、第１載置領域２１および第２載置領域２２の載置面に、それぞれ、対応する硬貨Ｃ１、Ｃ２を載置する。その後、制御部２０５は、操作端末８に対する操作者からの操作に応じて、図１６（ｂ）に示すように、トレイ６１を筐体１０の内部に収容する位置に移送させる。
【０１６３】
トレイ６１の移動が完了すると、制御部２０５は、カメラ５１により、第１載置領域２１および第２載置領域２２を撮像する。これにより、上記実施形態と同様、硬貨Ｃ１、Ｃ２の表面画像と側面画像とを含む撮像画像が取得される。撮像画像は、操作端末８に送信される。
【０１６４】
その後、操作者が操作端末８に処理を確定させる操作を行うと、その旨を示す通知が操作端末８から制御部２０５に送信される。これに応じて、制御部２０５は、図１５（ｂ）に示すように、支持板２７を後方に移動させる。これにより、第１載置領域２１および第２載置領域２２に載置された硬貨Ｃ１、Ｃ２が、開口６１ａを介して、第１収納部３１および第２収納部３２に落下する。
【０１６５】
図１６（ｃ）に示すように、支持板２７は、最後方位置まで移送される。これにより、第１載置領域２１および第２載置領域２２に載置された全ての硬貨Ｃ１、Ｃ２が第１収納部３１および第２収納部３２に落下して収納される。その後、制御部２０５は、支持板２７を、図１６（ｂ）に示す初期位置に移送する。これにより、入金処理時の動作が終了する。
【０１６６】
変更例４においても、上記実施形態と同様の効果が奏され得る。
【０１６７】
＜変更例５＞
図１７（ａ）、（ｂ）は、変更例５に係る特殊硬貨処理装置７の構成を模式的に示す断面図および平面図である。
【０１６８】
変更例５では、変更例４に比べて、カメラ５１がラインセンサ５４に置き換えられている。その他の構成は、変更例４と同様である。ラインセンサ５４は、第１載置領域２１および第２載置領域２２の両方を横断するように配置されている。
【０１６９】
変更例５では、ラインセンサ５４が特許請求の範囲に記載の「撮像部」を構成する。
【０１７０】
変更例５では、トレイ６１を突出位置から収納位置に移動する間に、ラインセンサ５４によって、第１載置領域２１および第２載置領域２２と、仕切り２３の範囲が撮像される。これにより、硬貨Ｃ１、Ｃ２の表面画像と側面画像とを含む撮像画像が取得される。入金処理時のその他の動作は、変更例４と同様である。
【０１７１】
変更例５においても、上記実施形態および変更例４と同様の効果が奏され得る。加えて、変更例５では、トレイ６１の引込み動作時に硬貨Ｃ１、Ｃ２の表面画像と側面画像とを含む撮像画像が取得されるため、上記実施形態および変更例４に比べて、入金処理をより円滑かつ迅速に進めることができる。
【０１７２】
＜変更例６＞
上記実施形態では、操作者は、入金処理をやり直したい場合、図７（ｄ）に示されているボタン４４４を操作する。制御部３０５は、図６のステップＳ１１４の判定をＹＥＳとして、処理を図６のステップＳ１０１に戻す。これにより、操作者は、第１載置領域２１または第２載置領域２２にアクセスして、硬貨入金のための操作をやり直すことができる。変更例６では、再度、入金処理がやり直された場合、制御部３０５は、今回の入金処理時に撮像された各硬貨の画像４４２ｃのうち、前回の入金処理の際に撮像された各硬貨の画像４４２ｃとのマッチングを行う。
【０１７３】
制御部３０５は、前回の入金処理の際に撮像された各硬貨の画像４４２ｃとマッチングする画像については、前回の入金処理時の操作により選択された金種をそのまま維持して、各硬貨の画像４４２ｃにその金種を対応付け、操作表示部３０１に表示させる。また、制御部３０５は、その他の硬貨の画像４４２ｃに対して、新たに金種の判定結果を行って、その判定結果を各硬貨の画像４４２ｃに対応付け、操作表示部３０１に表示させる。
【０１７４】
このように、前回の入金処理時における操作者の金種選択が維持されることにより、操作者は、再度、全ての硬貨の画像４４２ｃに対して金種の選択操作を行わなくてよい。よって、操作者の負担を軽減でき、装置の利便性を高めることができる。
【０１７５】
＜その他の変更例＞
上記実施形態および変更例１〜６では、操作表示部３０１が特殊硬貨処理装置７と別体であったが、操作表示部３０１が特殊硬貨処理装置７に一体的に設けられてもよい。この構成においては、さらに、図６、図１０、および図１２の処理が、特殊硬貨処理装置７側の制御部２０５によって行われてもよい。
【０１７６】
この場合、特殊硬貨処理装置７は、たとえば、図１８のように構成される。特殊硬貨処理装置７は、ディスプレイ２０７ａおよびタッチセンサ２０７ｂからなる操作表示部２０７を備える。記憶部２０６は、図５に示した硬貨画像データベース３０６ａと同様の硬貨画像データベース２０６ａを保持する。
【０１７７】
制御部２０５は、図７（ａ）〜（ｄ）および図８の画面を操作表示部２０７に表示させながら、図６の処理を実行する。処理結果に基づく情報は、記憶部２０６に記憶されてもよく、あるいは、操作端末８側に送信されて、操作端末８側の記憶部３０６に記憶されてもよい。変更例１、２における図１０および図１２の処理も、制御部２０５により実行され、図１１（ａ）〜（ｄ）および図１３（ａ）、（ｂ）の画面も操作表示部２０７に表示される。
【０１７８】
また、上記実施形態の構成において、硬貨の置き間違いが生じた場合、制御部３０５は、確認要求画面４３０を操作表示部３０１に表示させることとしたが、硬貨の置き間違いが生じた場合、ボタン４３２の操作によらず、シャッター１２を開放させることとしてもよく、あるいは音声等による報知を行うこととしてもよい。これにより、操作者は迅速に置き間違いに気付くことができる。
【０１７９】
また、上記実施形態および変更例１〜６の構成において、図６、図１０、および図１２の処理が、特殊硬貨処理装置７側の制御部２０５によって行われてもよい。この場合、操作端末８の操作表示部３０１は、単に、画面の表示および操作入力の受け付けのために用いられる。この場合も、特殊硬貨処理装置７の記憶部２０６には、図１８の場合と同様、硬貨画像データベース２０６ａが保持される。この他、図６、図１０、および図１２の処理が、特殊硬貨処理装置７側の制御部２０５と操作端末８側の制御部３０５との共同動作により行われてもよい。
【０１８０】
また、載置領域の数は、必ずしも２つに限られるものではなく、１つでもよいし、３つ以上であってもよい。
【０１８１】
また、特殊硬貨処理装置７が、タブレット端末やスマートフォンとの通信機能を有し、タブレット端末等の表示機能、操作機能を用いて、特殊硬貨処理装置７への特殊な硬貨の入金処理が行われてもよい。
【０１８２】
さらに、上記実施形態において、特殊硬貨処理装置７に、特殊な硬貨として、外国硬貨および旧貨を入金できてもよい。また、特殊硬貨に限らず、通常の硬貨を処理する硬貨処理装置に本発明が適用されてもよい。
【０１８３】
この他、本発明の実施形態は、特許請求の範囲に記載の範囲で適宜変更可能である。
【符号の説明】
【０１８４】
７  特殊硬貨処理ユニット
８  操作端末
２１  第１載置領域
２２  第２載置領域
２４  枠部材（収納機構）
２５  載置部材（収納機構）
３１  第１収納部
３２  第２収納部
５１  カメラ
５４  ラインセンサ
６１  トレイ（規制機構）
２０５、３０５  制御部
２０７、３０１  操作表示部
【図１】
2020004071.tif 000003
【図２】
2020004071.tif 000004
【図３】
2020004071.tif 000005
【図４】
2020004071.tif 000006
【図５】
2020004071.tif 000007
【図６】
2020004071.tif 000008
【図７】
2020004071.tif 000009
【図８】
2020004071.tif 000010
【図９】
2020004071.tif 000011
【図１０】
2020004071.tif 000012
【図１１】
2020004071.tif 000013
【図１２】
2020004071.tif 000014
【図１３】
2020004071.tif 000015
【図１４】
2020004071.tif 000016
【図１５】
2020004071.tif 000017
【図１６】
2020004071.tif 000018
【図１７】
2020004071.tif 000019
【図１８】
2020004071.tif 000020